(57)【特許請求の範囲】
【請求項１】
マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置であって、
パスの時間的なばらつきと、パスの数と、に応じて、前記第１の受信方式または前記第２の受信方式の何れかの受信方式を用いて無線通信を行うかを決定する受信方式決定手段を有することを特徴とする無線通信装置。
【請求項２】
パスの時間的なばらつきが所定の閾値未満か否かを判定する第１の判定手段と、
パスの数が所定の閾値未満か否かを判定する第２の判定手段と、を有し、
前記受信方式決定手段は、
前記第１の判定手段による判定結果と、前記第２の判定手段による判定結果と、に応じて、前記第１の受信方式または前記第２の受信方式の何れかの受信方式を用いて無線通信を行うかを決定することを特徴とする請求項１記載の無線通信装置。
【請求項３】
前記受信方式決定手段は、
前記第１の判定手段による判定結果が、パスの時間的なばらつきが所定の閾値未満と判定した判定結果であり、尚かつ、前記第２の判定手段による判定結果が、パスの数が所定の閾値未満と判定した判定結果の場合に、前記第１の受信方式を用いて無線通信を行うことを特徴とする請求項２記載の無線通信装置。
【請求項４】
前記受信方式決定手段は、
前記第１の判定手段による判定結果が、パスの時間的なばらつきが所定の閾値以上と判定した判定結果の場合、
または、前記第１の判定手段による判定結果が、パスの時間的なばらつきが所定の閾値未満と判定した判定結果であり、尚かつ、前記第２の判定手段による判定結果が、パスの数が所定の閾値以上と判定した判定結果の場合に、前記第２の受信方式を用いて無線通信を行うことを特徴とする請求項２または３記載の無線通信装置。
【請求項５】
前記受信方式決定手段は、
受信信号に対するノイズの割合に応じて、前記第１の受信方式または前記第２の受信方式の何れかの受信方式を用いて無線通信を行うかを決定することを特徴とする請求項１から４の何れか１項に記載の無線通信装置。
【請求項６】
受信信号に対するノイズの割合が所定の閾値未満か否かを判定する第３の判定手段を有し、
前記受信方式決定手段は、
前記第３の判定手段による判定結果が、受信信号に対するノイズの割合が所定の閾値未満と判定した判定結果の場合に、前記第１の受信方式を用いて無線通信を行い、
前記第３の判定手段による判定結果が、受信信号に対するノイズの割合が所定の閾値以上と判定した判定結果の場合に、前記第２の受信方式を用いて無線通信を行うことを特徴とする請求項５記載の無線通信装置。
【請求項７】
前記第１の受信方式は、干渉キャンセラを使用してマルチパス干渉を低減させる受信方式であり、
前記第２の受信方式は、干渉キャンセラを使用せず、レイクレシーバを使用する受信方式であることを特徴とする請求項１記載の無線通信装置。
【請求項８】
マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置が行う受信方式選択方法であって、
パスの時間的なばらつきと、パスの数と、に応じて、前記第１の受信方式または前記第２の受信方式の何れかの受信方式を用いて無線通信を行うかを決定する受信方式決定工程を、前記無線通信装置が行うことを特徴とする受信方式選択方法。
【請求項９】
パスの時間的なばらつきが所定の閾値未満か否かを判定する第１の判定工程と、
パスの数が所定の閾値未満か否かを判定する第２の判定工程と、を前記無線通信装置が行い、
前記受信方式決定工程は、
前記第１の判定工程による判定結果と、前記第２の判定工程による判定結果と、に応じて、前記第１の受信方式または前記第２の受信方式の何れかの受信方式を用いて無線通信を行うかを決定することを特徴とする請求項８記載の受信方式選択方法。
【請求項１０】
前記受信方式決定工程は、
前記第１の判定工程による判定結果が、パスの時間的なばらつきが所定の閾値未満と判定した判定結果であり、尚かつ、前記第２の判定工程による判定結果が、パスの数が所定の閾値未満と判定した判定結果の場合に、前記第１の受信方式を用いて無線通信を行うことを特徴とする請求項９記載の受信方式選択方法。
【請求項１１】
前記受信方式決定工程は、
前記第１の判定工程による判定結果が、パスの時間的なばらつきが所定の閾値以上と判定した判定結果の場合、
または、前記第１の判定工程による判定結果が、パスの時間的なばらつきが所定の閾値未満と判定した判定結果であり、尚かつ、前記第２の判定工程による判定結果が、パスの数が所定の閾値以上と判定した判定結果の場合に、前記第２の受信方式を用いて無線通信を行うことを特徴とする請求項９または１０記載の受信方式選択方法。
【請求項１２】
前記受信方式決定工程は、
受信信号に対するノイズの割合に応じて、前記第１の受信方式または前記第２の受信方式の何れかの受信方式を用いて無線通信を行うかを決定することを特徴とする請求項８から１１の何れか１項に記載の受信方式選択方法。
【請求項１３】
受信信号に対するノイズの割合が所定の閾値未満か否かを判定する第３の判定工程を、前記無線通信装置が行い、
前記受信方式決定工程は、
前記第３の判定工程による判定結果が、受信信号に対するノイズの割合が所定の閾値未満と判定した判定結果の場合に、前記第１の受信方式を用いて無線通信を行い、
前記第３の判定工程による判定結果が、受信信号に対するノイズの割合が所定の閾値以上と判定した判定結果の場合に、前記第２の受信方式を用いて無線通信を行うことを特徴とする請求項１２記載の受信方式選択方法。
【請求項１４】
前記第１の受信方式は、干渉キャンセラを使用してマルチパス干渉を低減させる受信方式であり、
前記第２の受信方式は、干渉キャンセラを使用せず、レイクレシーバを使用する受信方式であることを特徴とする請求項８記載の受信方式選択方法。
【請求項１５】
マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置において実行させる受信方式選択プログラムであって、
パスの時間的なばらつきと、パスの数と、に応じて、前記第１の受信方式または前記第２の受信方式の何れかの受信方式を用いて無線通信を行うかを決定する受信方式決定処理を、前記無線通信装置において実行させることを特徴とする受信方式選択プログラム。
【請求項１６】
パスの時間的なばらつきが所定の閾値未満か否かを判定する第１の判定処理と、
パスの数が所定の閾値未満か否かを判定する第２の判定処理と、を、前記無線通信装置に実行させ、
前記受信方式決定処理は、
前記第１の判定処理による判定結果と、前記第２の判定処理による判定結果と、に応じて、前記第１の受信方式または前記第２の受信方式の何れかの受信方式を用いて無線通信を行うかを決定することを特徴とする請求項１５記載の受信方式選択プログラム。
【請求項１７】
前記受信方式決定処理は、
前記第１の判定処理による判定結果が、パスの時間的なばらつきが所定の閾値未満と判定した判定結果であり、尚かつ、前記第２の判定処理による判定結果が、パスの数が所定の閾値未満と判定した判定結果の場合に、前記第１の受信方式を用いて無線通信を行うことを特徴とする請求項１６記載の受信方式選択プログラム。
【請求項１８】
前記受信方式決定処理は、
前記第１の判定処理による判定結果が、パスの時間的なばらつきが所定の閾値以上と判定した判定結果の場合、または、前記第１の判定処理による判定結果が、パスの時間的なばらつきが所定の閾値未満と判定した判定結果であり、尚かつ、前記第２の判定処理による判定結果が、パスの数が所定の閾値以上と判定した判定結果の場合に、前記第２の受信方式を用いて無線通信を行うことを特徴とする請求項１６または１７記載の受信方式選択プログラム。
【請求項１９】
前記受信方式決定処理は、
受信信号に対するノイズの割合に応じて、前記第１の受信方式または前記第２の受信方式の何れかの受信方式を用いて無線通信を行うかを決定することを特徴とする請求項１５から１８の何れか１項に記載の受信方式選択プログラム。
【請求項２０】
受信信号に対するノイズの割合が所定の閾値未満か否かを判定する第３の判定処理を、前記無線通信装置に実行させ、
前記受信方式決定処理は、
前記第３の判定処理による判定結果が、受信信号に対するノイズの割合が所定の閾値未満と判定した判定結果の場合に、前記第１の受信方式を用いて無線通信を行い、
前記第３の判定処理による判定結果が、受信信号に対するノイズの割合が所定の閾値以上と判定した判定結果の場合に、前記第２の受信方式を用いて無線通信を行うことを特徴とする請求項１９記載の受信方式選択プログラム。
【請求項２１】
前記第１の受信方式は、干渉キャンセラを使用してマルチパス干渉を低減させる受信方式であり、
前記第２の受信方式は、干渉キャンセラを使用せず、レイクレシーバを使用する受信方式であることを特徴とする請求項１５記載の受信方式選択プログラム。
【発明の詳細な説明】
【技術分野】
【０００１】
本発明は、携帯電話機等の無線通信装置に関し、特に、複数の受信方式を搭載した無線通信装置において、好適な受信方式を用いて無線通信を行うことが可能な無線通信装置、その無線通信装置における受信方式選択方法及び受信方式選択プログラムに関するものである。
【背景技術】
【０００２】
現在標準化が進められている３ＧＰＰ（3rd Generation Partnership Project）準拠のＷ−ＣＤＭＡ（Wide band Code Division Multiple Access）通信システムでは、高速なダウンリンクを実現する技術としてＨＳＤＰＡ（High Speed Downlink Packet Access）が提案されている。
【０００３】
なお、ＨＳＤＰＡのような高符号化率の受信データは、マルチパス干渉による受信品質への影響を受けやすいため、ＨＳＤＰＡを実現する無線通信装置に対し、マルチパス干渉を低減させることができる干渉キャンセラを実装する必要がある。
【０００４】
しかしながら、干渉キャンセラは、伝播路状況によっては能力を発揮できないという欠点があり、また、伝播路状況によっては、干渉キャンセラを使用しない従来の受信方式よりもデコード品質が悪くなってしまうという弱みもある。
【０００５】
このようなことから、電波路状況に応じて、干渉キャンセラ等のマルチパス干渉を低減させる必要のある受信方式と、干渉キャンセラ等を使用せずマルチパス干渉を低減させる必要のない受信方式と、を使い分けて無線通信を行う必要がある。
【０００６】
なお、本発明より先に出願された特許文献として、信号の伝搬環境を推定する推定手段と、少なくとも線形等化を含む２つ以上の受信方式から、推定された伝搬環境に応じて信号の受信方式を選択する選択手段と、を有し、システム全体のスループットを向上させることを可能とする無線通信装置が開示された文献がある（例えば、特許文献１参照）。
【０００７】
また、セルラー方式の無線通信システムにおける無線受信装置によって使用されるジオメトリ測定方法であって、受信信号に含まれる干渉信号の電力をパス毎に測定する干渉信号電力測定ステップと、測定されたパス毎の干渉信号電力をＮパス分合算する合算ステップと、受信信号に含まれるパス以外の干渉信号の電力を測定するパス以外干渉信号電力レベル測定ステップと、測定されたパス以外の干渉信号電力をＮ倍した値から前記合算ステップでの合算結果を差し引くことによって自セル干渉信号電力を算出する自セル干渉信号電力算出ステップと、測定された前記パス以外の干渉信号電力から算出された前記自セル干渉信号電力を差し引くことによって他セル干渉信号とノイズとの電力の合算値を算出する他セル干渉信号・ノイズ電力算出ステップと、算出された前記自セル干渉信号電力を算出された前記他セル干渉信号とノイズとの電力の合算値で除することによってジオメトリを算出するジオメトリ算出ステップと、を具備し、無線受信装置において、受信信号に対してＲＡＫＥ受信を行った方がよいのか、適応等化器や干渉キャンセラ等を用いて適応受信を行った方がよいのか、その判断を容易ならしめるジオメトリをマルチパスの形成されている伝搬環境下で簡便に生成できるジオメトリ測定方法が開示された文献がある（例えば、特許文献２参照）。
【特許文献１】特開２００４−１５９２８４号公報
【特許文献２】特開２００５−３０３９５２号公報
【発明の開示】
【発明が解決しようとする課題】
【０００８】
なお、上記特許文献１は、推定された伝搬環境に応じて前記信号の受信方式を選択する選択手段を有し、システム全体のスループットを向上させることを可能とする無線通信装置について開示されているが、パスに関する複数の判定結果に応じて好適な受信方式を決定している点については明記されていない。
【０００９】
また、上記特許文献２は、無線受信装置において、受信信号に対してＲＡＫＥ受信を行った方がよいのか、適応等化器や干渉キャンセラ等を用いて適応受信を行った方がよいのか、その判断を容易ならしめるジオメトリをマルチパスの形成されている伝搬環境下で簡便に生成できるジオメトリ測定方法について開示されているが、パスに関する複数の判定結果に応じて好適な受信方式を決定している点については明記されていない。
【００１０】
本発明は、上記事情に鑑みてなされたものであり、マルチパス干渉を低減させる必要のある受信方式と、マルチパス干渉を低減させる必要のない受信方式と、の２つの受信方式を搭載した無線通信装置において、パスに関する複数の判定結果に応じて好適な受信方式を決定することが可能な無線通信装置、受信方式選択方法及び受信方式選択プログラムを提供することを目的とするものである。
【課題を解決するための手段】
【００１１】
かかる目的を達成するために、本発明は以下の特徴を有することとする。
【００１２】
本発明にかかる無線通信装置は、マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置であって、パスの時間的なばらつきと、パスの数と、に応じて、前記第１の受信方式または前記第２の受信方式の何れかの受信方式を用いて無線通信を行うかを決定する受信方式決定手段を有することを特徴とする。
【００１３】
また、本発明にかかる受信方式選択方法は、マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置が行う受信方式選択方法であって、パスの時間的なばらつきと、パスの数と、に応じて、前記第１の受信方式または前記第２の受信方式の何れかの受信方式を用いて無線通信を行うかを決定する受信方式決定工程を、前記無線通信装置が行うことを特徴とする。
【００１４】
また、本発明にかかる受信方式選択プログラムは、マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置において実行させる受信方式選択プログラムであって、パスの時間的なばらつきと、パスの数と、に応じて、前記第１の受信方式または前記第２の受信方式の何れかの受信方式を用いて無線通信を行うかを決定する受信方式決定処理を、前記無線通信装置において実行させることを特徴とする。
【発明の効果】
【００１５】
本発明によれば、マルチパス干渉を低減させる必要のある受信方式と、マルチパス干渉を低減させる必要のない受信方式と、の２つの受信方式を搭載した無線通信装置において、パスに関する複数の判定結果に応じて好適な受信方式を決定することが可能となる。
【発明を実施するための最良の形態】
【００１６】
まず、図１を参照しながら、本実施形態における無線通信装置の特徴について説明する。
【００１７】
本実施形態における無線通信装置は、マルチパス干渉を低減させる必要のある伝播路環境時に使用する第１の受信方式と、マルチパス干渉を低減させる必要のない伝播路環境時に使用する第２の受信方式と、の２つの受信方式を搭載した無線通信装置である。そして、本実施形態における無線通信装置は、パスの時間的なばらつきが所定の閾値未満か否かを判定する第１の判定（ステップＳ１）と、パスの数が所定の閾値未満か否かを判定する第２の判定（ステップＳ２）と、を行い、第１の判定（ステップＳ１）による判定結果と、第２の判定（ステップＳ２）による判定結果と、に応じて、第１の受信方式または第２の受信方式の何れかの受信方式を用いて無線通信を行うかを決定する（ステップＳ３、４）ことを特徴とするものである。これにより、マルチパス干渉を低減させる必要のある受信方式と、マルチパス干渉を低減させる必要のない受信方式と、の２つの受信方式を搭載した無線通信装置において、パスに関する複数の判定結果に応じて好適な受信方式を決定することが可能となる。以下、添付図面を参照しながら、本実施形態における無線通信装置について説明する。
【００１８】
（第１の実施形態）
まず、図２を参照しながら、マルチパス干渉について説明する。
【００１９】
基地局（１）からの無線が伝播路に邪魔されずに無線通信装置（２）に届くと、無線の通る道を意味するパスは、理想的には１本になる。ここでは、『メインパス』と呼ぶ。しかしながら、基地局（１）からの無線が伝播路の途中で障害物（３）等にぶつかったりして反射すると、無線通信装置（２）には複数のパスが届くことになる。このような『メインパス』以外のパスを、『マルチパス』と呼ぶ。一般的に、パス毎の伝播路中における受信品質劣化度は、『メインパス』より『マルチパス』の方が大きく、また、『マルチパス』は、『メインパス』より時間的に離れれば離れるほど、受信品質が低いとされている。この『マルチパス』が雑音成分として『メインパス』の信号成分に与える受信品質の影響をマルチパス干渉と言う。
【００２０】
なお、ＨＳＤＰＡのような高符号化率の受信データは、上述したマルチパス干渉による受信品質への影響を受けやすいため、ＨＳＤＰＡを実現する無線通信装置（２）に対し、マルチパス干渉を低減させることができる干渉キャンセラを実装する必要がある。
【００２１】
しかしながら、干渉キャンセラは、伝播路状況によっては能力を発揮できないという欠点があり、また、伝播路状況によっては、干渉キャンセラを使用しない従来の受信方式よりもデコード品質が悪くなってしまうという弱みもある。
【００２２】
このため、本発明者は、上述した問題点を解決すべく、様々な改良を試み鋭意研究を重ねた結果、ＨＳＤＰＡのような高符号化率のデータ受信で必要となる干渉キャンセラを実装した無線通信装置において、干渉キャンセラが苦手とする伝播路状況の場合には、従来の受信方式を用いて無線通信を行い、それ以外の伝播路状況の場合には、干渉キャンセラを使用して無線通信を行うように制御することが可能な無線通信装置を開発した。
【００２３】
このように、電波路状況に応じて、干渉キャンセラと、従来の受信方式と、を使い分けて無線通信を行うように制御することで、ＨＳＤＰＡのような高符号化率のデータ受信で必要となる干渉キャンセラを実装した無線通信装置において、あらゆる伝播路状況の環境下においても、従来の受信方式を下回ることのない、良好なデコード品質を得ることが可能となる。なお、従来の受信方式とは、例えば、レイクレシーバ等が挙げられる。また、干渉キャンセラとは、例えば、時間領域等価器等が挙げられる。
【００２４】
次に、図３を参照しながら、本実施形態における無線通信装置の内部構成について説明する。
【００２５】
本実施形態における無線通信装置は、アンテナ（１０１）と、ＨＳＤＰＡ受信機（１０２）と、復調処理部（１０３）と、デコード処理部（１０４）と、を有して構成される。なお、ＨＳＤＰＡ受信機（１０２）は、パスサーチ処理部（１０２１）と、ＨＳＤＰＡ受信機制御部（１０２２）と、キャンセラ処理部（１０２３）と、を有して構成される。
【００２６】
なお、アンテナ（１０１）にて受信した受信信号は、受信ＩＱ信号に変換され、その変換された受信ＩＱ信号がＨＳＤＰＡ受信機（１０２）に入力されることになる。そして、ＨＳＤＰＡ受信機（１０２）において逆拡散処理が施され、その逆拡散処理が施された受信ＩＱ信号が復調処理部（１０３）とデコード処理部（１０４）とに出力されることになる。
【００２７】
なお、パスサーチ処理部（１０２１）は、ＨＳＤＰＡ受信機（１０２）に入力された受信ＩＱ信号を基に、伝播路状況（パスの時間的分散、パスの本数）とパス位置とを推定し、その推定した伝播路状況とパス位置との情報を、ＨＳＤＰＡ受信機制御部（１０２２）に出力する。
【００２８】
また、ＨＳＤＰＡ受信機制御部（１０２２）は、パスサーチ処理部（１０２１）から入力された伝播路状況とパス位置との情報を受け付け、その受け付けた伝播路状況を基に、キャンセラ処理を行うか、従来の受信方式での処理を行うか、の逆拡散モードの判定を行い、その逆拡散モードの判定結果とパス位置との情報を、キャンセラ処理部（１０２３）に出力する。また、ＨＳＤＰＡ受信機制御部（１０２２）は、パスサーチ処理部（１０２１）とキャンセラ処理部（１０２３）との制御動作時に必要となる情報を、パスサーチ処理部（１０２１）及びキャンセラ処理部（１０２３）に設定する。
【００２９】
また、ＨＳＤＰＡ受信機制御部（１０２２）は、パスサーチ処理部（１０２１）とキャンセラ処理部（１０２３）とにおける起動や停止、及び、初期化等の制御を行うことになる。
【００３０】
キャンセラ処理部（１０２３）は、ＨＳＤＰＡ受信機制御部（１０２２）から入力された逆拡散モードの判定結果とパス位置との情報を受け付け、ＨＳＤＰＡ受信機（１０２）に入力された受信ＩＱ信号に対し、キャンセラ処理、または、従来の受信方式の処理を行い、逆拡散処理を施した受信ＩＱ信号を、復調処理部（１０３）とデコード処理部（１０４）とに出力する。
【００３１】
次に、図３を参照しながら、本実施形態における無線通信装置における制御動作について説明する。
【００３２】
まず、ＨＳＤＰＡ受信機制御部（１０２２）は、ＨＳＤＰＡ通信を開始するための制御信号が入力された際に、パスサーチ処理部（１０２１）と、キャンセラ処理部（１０２３）と、を初期化する。そして、ＨＳＤＰＡ受信機制御部（１０２２）は、ＨＳＤＰＡ通信の制御時に必要なパラメータ値をパスサーチ処理部（１０２１）とキャンセラ処理部（１０２３）とに入力し、パスサーチ処理部（１０２１）とキャンセラ処理部（１０２３）とをそれぞれ適切なタイミングで起動させることになる。
【００３３】
なお、パスサーチ処理部（１０２１）は、ＨＳＤＰＡ受信機制御部（１０２２）からの制御により起動すると、ＨＳＤＰＡ受信機（１０２）に入力された受信ＩＱ信号を基に、伝播路状況（パスの時間的分散、パスの本数）とパス位置と、を推定し、その推定した伝播路状況とパス位置との情報を、ＨＳＤＰＡ受信機制御部（１０２２）に出力する。
【００３４】
なお、パスサーチ処理部（１０２１）は、ＨＳＤＰＡ受信機（１０２）に入力された受信ＩＱ信号を基に、周期的に、伝播路情報とパス位置とを推定し、その推定した伝播路状況とパス位置との情報を、ＨＳＤＰＡ受信機制御部（１０２２）に出力することになる。
【００３５】
ＨＳＤＰＡ受信機制御部（１０２２）は、パスサーチ処理部（１０２１）から入力された伝播路状況とパス位置との情報を受け付け、図１に示す逆拡散モードの判定処理を行い、その逆拡散モードの判定結果とパス位置との情報を、キャンセラ処理部（１０２３）に出力する。
【００３６】
なお、ＨＳＤＰＡ受信機制御部（１０２２）は、パスサーチ処理部（１０２１）から入力された伝播路状況を基に、図１に示す逆拡散モードの判定処理を周期的に行い、その逆拡散モードの判定結果とパス位置との情報を、キャンセラ処理部（１０２３）に出力することになる。
【００３７】
キャンセラ処理部（１０２３）は、ＨＳＤＰＡ受信機制御装部（１０２２）から入力される逆拡散モードの判定結果とパス位置との情報を基に、ＨＳＤＰＡ受信機（１０２）に入力される受信ＩＱ信号に対し、キャンセラ処理、または、従来の受信方式の処理を行い、逆拡散処理を施した受信ＩＱ信号を、復調処理部（１０３）と、デコード処理部（１０４）と、に出力する。
【００３８】
復調処理部（１０３）は、ＨＳＤＰＡ受信機（１０２）から入力された受信ＩＱ信号を基に、復調処理を行うことになる。また、デコード処理部（１０４）は、ＨＳＤＰＡ受信機（１０２）から入力された受信ＩＱ信号を基に、デコード処理を行うことになる。
【００３９】
次に、図１を参照しながら、ＨＳＤＰＡ受信機制御部（１０２２）において行う逆拡散モードの判定処理について説明する。なお、干渉キャンセラによるキャンセラ処理は、メインパスの受信品質が低いと、効果が出にくいという特性があるため、図１に示す逆拡散モードの判定処理は、メインパスの受信品質が高いか低いかという点を判定基準とした判定処理となっている。
【００４０】
まず、ＨＳＤＰＡ受信機制御部（１０２２）は、パスサーチ処理部（１０２１）から入力された伝播路状況の情報を基に、パスの時間的なばらつきが少ないか否かを判定する（ステップＳ１）。なお、パスの時間的なばらつきが少ないか否かを判定する際には、ＨＳＤＰＡ受信機制御部（１０２２）に予め設定されている閾値を基に行うことになり、パスの時間的なばらつきが所定の閾値未満と判断した場合には、パスの時間的なばらつきが少ないと判定し、パスの時間的なばらつきが所定の閾値以上と判断した場合には、パスの時間的なばらつきが多いと判定することになる。
【００４１】
なお、パスの時間的なばらつきが多いと、メインパスの受信品質が低いと考えられるため、ＨＳＤＰＡ受信機制御部（１０２２）は、パスの時間的なばらつきが多いと判定した場合には（ステップＳ１／Ｎｏ）、ＨＳＤＰＡ受信機制御部（１０２２）は、従来の受信方式を使用すると判断し（ステップＳ４）、逆拡散モードの判定処理を終了する。
【００４２】
また、ＨＳＤＰＡ受信機制御部（１０２２）は、パスの時間的なばらつきが少ないと判定した場合には（ステップＳ１／Ｙｅｓ）、ＨＳＤＰＡ受信機制御部（１０２２）は、パスの本数が少ないか否かを判定する（ステップＳ２）。なお、パスの本数が少ないか否かを判定する際には、ＨＳＤＰＡ受信機制御部（１０２２）に予め設定されている閾値を基に行うことになり、パスの本数が所定の閾値未満と判断した場合には、パスの本数が少ないと判定し、パスの本数が所定の閾値以上と判断した場合には、パスの本数が多いと判定することになる。
【００４３】
なお、パスの本数が少なければ、メインパスの受信品質が高いと考えられるため、ＨＳＤＰＡ受信機制御部（１０２２）は、パスの本数が多いと判定した場合には（ステップＳ２／Ｎｏ）、ＨＳＤＰＡ受信機制御部（１０２２）は、従来の受信方式を使用すると判断し（ステップＳ４）、逆拡散モードの判定処理を終了する。
【００４４】
また、ＨＳＤＰＡ受信機制御部（１０２２）は、パスの本数が少ないと判定した場合には（ステップＳ２／Ｙｅｓ）、ＨＳＤＰＡ受信機制御部（１０２２）は、干渉キャンセラを使用すると判断し（ステップＳ３）、逆拡散モードの判定処理を終了する。
【００４５】
このように、本実施形態におけるＨＳＤＰＡ受信機制御部（１０２２）は、伝播路状況に応じて、干渉キャンセラと、従来の受信方式と、を使い分けて無線通信を行うように制御することで、干渉キャンセラによるデコード品質の向上はもとより、干渉キャンセラのみの実装であれば、従来の受信方式を使用した際のデコード品質を下回ってしまう伝播路状況においても、従来の受信方式を使用した際と同等のデコード品質を維持することが可能となる。従って、あらゆる伝播路状況の環境下においても、従来の受信方式を使用した際のデコード品質を維持しつつ、干渉キャンセラによるデコード品質の向上を図ることが可能となる。
【００４６】
（第２の実施形態）
次に、第２の実施形態について説明する。
【００４７】
第１の実施形態における無線通信装置は、図１に示すように、パスの時間的なばらつきが所定の閾値未満か否かを判定する第１の判定（ステップＳ１）と、パスの数が所定の閾値未満か否かを判定する第２の判定（ステップＳ２）と、を行い、第１の判定（ステップＳ１）による判定結果と、第２の判定（ステップＳ２）による判定結果と、に応じて、第１の受信方式または第２の受信方式の何れかの受信方式を用いて無線通信を行うかを決定する（ステップＳ３、４）こととしたが、第２の実施形態における無線通信装置は、図４に示すように、受信ＩＱ信号に対するノイズの割合が所定の閾値未満か否かを判定する第３の判定（ステップＳ１３）を更に行い、第１の判定結果（ステップＳ１１）と、第２の判定結果（ステップＳ１２）と、第３の判定結果（ステップＳ１３）と、の判定結果に応じて、第１の受信方式または第２の受信方式の何れかの受信方式を用いて無線通信を行うかを決定する（ステップＳ１４、１５）ことを特徴とするものである。これにより、更に精度の高い判定処理を行うことが可能となる。以下、図４を参照しながら、第２の実施形態における無線通信装置について説明する。
【００４８】
なお、第２の実施形態における無線通信装置は、図３に示すパスサーチ処理部（１０２１）において、ＨＳＤＰＡ受信機（１０２）に入力された受信ＩＱ信号を基に、伝播路状況（パスの時間的分散、パスの本数、受信ＩＱ信号に対するノイズの割合）とパス位置とを推定し、その推定した伝播路状況とパス位置との情報を、ＨＳＤＰＡ受信機制御部（１０２２）に出力することになる。これにより、ＨＳＤＰＡ受信機制御部（１０２２）において、図４に示す逆拡散モードの判定処理を行うことが可能となる。
【００４９】
まず、ＨＳＤＰＡ受信機制御部（１０２２）は、図１に示す逆拡散モードの判定処理と同様に、パスサーチ処理部（１０２１）から入力された伝播路状況の情報を基に、パスの時間的なばらつきが少ないか否かを判定する第１の判定（ステップＳ１１）と、パスの本数が少ないか否かを判定する第２の判定（ステップＳ１２）と、を行うことになる。
【００５０】
そして、パスの本数が少ないと判定した場合には（ステップＳ１２／Ｙｅｓ）、ＨＳＤＰＡ受信機制御部（１０２２）は、受信ＩＱ信号がノイズに対して支配的か否かを判定する（ステップＳ１３）。なお、受信ＩＱ信号がノイズに対して支配的か否かを判定する際には、ＨＳＤＰＡ受信機制御部（１０２２）に予め設定されている閾値を基に行うことになり、受信ＩＱ信号に対するノイズの割合が所定の閾値未満と判断した場合には、受信ＩＱ信号がノイズに対して支配的であると判定し、受信ＩＱ信号に対するノイズの割合が所定の閾値以上と判断した場合には、受信ＩＱ信号がノイズに対して支配的ではないと判定することになる。
【００５１】
なお、受信ＩＱ信号がノイズに対して支配的な場合には、メインパスの受信品質が高いと考えられるため、ＨＳＤＰＡ受信機制御部（１０２２）は、受信ＩＱ信号がノイズに対して支配的でないと判定した場合には（ステップＳ１３／Ｎｏ）、ＨＳＤＰＡ受信機制御部（１０２２）は、従来の受信方式を使用すると判断し（ステップＳ１５）、逆拡散モードの判定処理を終了する。
【００５２】
また、ＨＳＤＰＡ受信機制御部（１０２２）は、受信ＩＱ信号がノイズに対して支配的であると判定した場合には（ステップＳ１３／Ｙｅｓ）、ＨＳＤＰＡ受信機制御部（１０２２）は、干渉キャンセラを使用すると判断し（ステップＳ１４）、逆拡散モードの判定処理を終了する。
【００５３】
このように、第２の実施形態における無線通信装置は、受信ＩＱ信号に対するノイズの割合が所定の閾値未満か否かを判定する第３の判定（ステップＳ１３）を更に行い、第１の判定結果（ステップＳ１１）と、第２の判定結果（ステップＳ１２）と、第３の判定結果（ステップＳ１３）と、の判定結果に応じて、第１の受信方式または第２の受信方式の何れかの受信方式を用いて無線通信を行うかを決定する（ステップＳ１４、１５）ことで、更に精度の高い判定処理を行い、ＨＳＤＰＡのような高符号化率のデータ受信で必要となる干渉キャンセラを実装した無線通信装置において、あらゆる伝播路状況の環境下においても、従来の受信方式を下回ることのない、良好なデコード品質を得ることが可能となる。
【００５４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５５】
例えば、上述する実施形態においては、図１、図４に示す逆拡散モードの判定処理を行う際に、無線通信装置に予め設定されている閾値を基に各条件を判定することにしたが、図１、図４に示す逆拡散モードの判定処理の際に使用する閾値を伝播路状況に応じて任意に変更するように制御することも可能である。
【００５６】
また、上述する実施形態では、キャンセラ処理部（１０２３）における情報を、ＨＳＤＰＡ受信機制御部（１０２２）にフィードバックすることについては言及しなかったが、例えば、キャンセラ処理部（１０２３）が、パスサーチ処理部（１０２１）と同様に、伝播路状況とパス位置とを推定し、その推定した伝播路状況とパス位置との情報を、ＨＳＤＰＡ受信機制御部（１０２２）にフィードバックし、ＨＳＤＰＡ受信機制御部（１０２２）において、パスサーチ処理部（１０２１）から入力される伝播路状況とパス位置との情報と、キャンセラ処理部（１０２３）から入力される伝播路状況とパス位置との情報と、を総合的に解析し、図１、図４に示す逆拡散モードの判定処理や、パス位置を決定するように構築することも可能である。
【００５７】
また、上述した実施形態においては、ＨＳＤＰＡについて説明したが、本実施形態における無線通信装置は、ＨＳＤＰＡに限定するものではなく、符号化率の高いデータレートの無線信号受信であれば、他の無線通信技術にも適用することは可能である。
【００５８】
また、上述した本実施形態の無線通信装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、無線通信が可能な無線通信装置に読み込ませることで、上述した制御動作を、無線通信装置において実行させることも可能である。また、所定のネットワークを介して接続されている外部機器から上記プログラムを無線通信装置に読み込ませることで、上述した制御動作を、無線通信装置において実行させることも可能である。
【産業上の利用可能性】
【００５９】
本発明にかかる無線通信装置、受信方式選択方法及び受信方式選択プログラムは、符号化率の高いデータレートの無線信号受信に適用可能である。
【図面の簡単な説明】
【００６０】
【図１】第１の実施形態の無線通信装置が行う逆拡散モードの判定処理を示すフロチャートである。
【図２】マルチパス干渉を説明するための図である。
【図３】第１の実施形態の無線通信装置の内部構成を示す図である。
【図４】第２の実施形態の無線通信装置が行う逆拡散モードの判定処理を示すフロチャートである。
【符号の説明】
【００６１】
１    基地局
２    無線通信装置
３    障害物
１０１    アンテナ
１０２    ＨＳＤＰＡ受信機
１０３    復調処理部
１０４    デコード処理部
１０２１    パスサーチ処理部
１０２２    ＨＳＤＰＡ受信機制御部
１０２３    キャンセラ処理部
【図１】
0004831166.tif 000002
【図２】
0004831166.tif 000003
【図３】
0004831166.tif 000004
【図４】
0004831166.tif 000005